(57)【要約】      （修正有）【課題】贈答する相手に対する贈答者の気持ちの表し方に多様性を持たせることができる金封及び金封入り包装容器を提供する。【解決手段】金封１は、水引き２と、短冊３と、靴下４と、厚紙５と、中紙と、内袋とを備えている。靴下４を、厚紙５を被装するようにして折り畳む。このとき、靴下の上部に形成された口ゴム部と、下部に形成されたつま先部との何れを上方にして折り畳むかは、慶事や弔事に応じて、あるいは、地方の慣習等に応じて適宜設定することができる。靴下４の背面側に、贈答者によってメッセージ等が記載された中紙と、紙幣等が挿入されて封止された内袋を重畳するとともに、靴下４の前面側に短冊３を重畳し、水引き２によってこれらを環装する。このとき、装飾部２ｂが短冊３と重畳するように水引き２が装着されると、見栄えが良く、好ましい。【選択図】図３
0003173846.tif 000002
【実用新案登録請求の範囲】
【請求項１】
内部に紙幣を収容するための内袋と、物品と、前記内袋と前記物品とを環装する水引きと、を備えたことを特徴とする金封。
【請求項２】
前記水引きは、伸縮自在であることを特徴とする請求項１に記載の金封。
【請求項３】
前記物品は、布製品であって、該布製品を折り畳んで前記内袋と略同形状としたことを特徴とする請求項１又は２に記載の金封。
【請求項４】
前記内袋と略同形状の厚紙を備え、前記布製品は、前記厚紙を被装するように折り畳んで前記内袋と略同形状としたことを特徴とする請求項３に記載の金封。
【請求項５】
請求項１〜４の何れか一項に記載の金封と、袋体によって形成されて前記金封を収容する包装容器と、前記包装容器と略同形状とされて前記金封とともに前記包装容器に収容される台紙と、を備え、
前記台紙は、二つ折りにより前記包装容器と略同形状をなすとともに、前記内袋を挟装して前記金封とともに前記包装容器に収容されることを特徴とする金封入り包装容器。 
【考案の詳細な説明】
【技術分野】
【０００１】
本考案は、祝儀袋や不祝儀袋等の金封、及び、この金封が収容された包装容器に関する。
【背景技術】
【０００２】
従来、わが国では、結婚式等の慶事、あるいは、葬儀等の弔事において、紙幣を内袋に収容し、これを外袋で包んで所定の水引きで環装した祝儀袋あるいは不祝儀袋等の金封を贈答する慣習がある（例えば、特許文献１）。
【先行技術文献】
【特許文献】
【０００３】
【特許文献１】実用新案登録第３１６９７８２号公報
【考案の概要】
【考案が解決しようとする課題】
【０００４】
しかしながら、上記特許文献１のような従来用いられた金封では、贈答の対象が金銭のみであるため、贈答する相手に対して、例えば、金銭の額等によってしか気持ちを表すことができず、金封による気持ちの表し方に多様性を持たせることができなかった。
【０００５】
本考案の課題は、贈答する相手に対する贈答者の気持ちの表し方に多様性を持たせることができる金封及び金封入り包装容器を提供することである。
【課題を解決するための手段】
【０００６】
以上の課題を解決するため、請求項１に記載の考案は、金封において、
内部に紙幣を収容するための内袋と、物品と、前記内袋と前記物品とを環装する水引きと、を備えたことを特徴とする。
【０００７】
請求項２に記載の考案は、請求項１に記載の金封において、
前記水引きは、伸縮自在であることを特徴とする。
【０００８】
請求項３に記載の考案は、請求項１又は２に記載の金封において、
前記物品は、布製品であって、該布製品を折り畳んで前記内袋と略同形状としたことを特徴とする。
【０００９】
請求項４に記載の考案は、請求項３に記載の金封において、
前記内袋と略同形状の厚紙を備え、前記布製品は、前記厚紙を被装するように折り畳んで前記内袋と略同形状としたことを特徴とする。
【００１０】
請求項５に記載の考案は、金封入り包装容器であって、
請求項１〜４の何れか一項に記載の金封と、袋体によって形成されて前記金封を収容する包装容器と、前記包装容器と略同形状とされて前記金封とともに前記包装容器に収容される台紙と、を備え、
前記台紙は、二つ折りにより前記包装容器と略同形状をなすとともに、前記内袋を挟装して前記金封とともに前記包装容器に収容されることを特徴とする。
【考案の効果】
【００１１】
本考案によれば、贈答する相手に対する贈答者の気持ちの表し方に多様性を持たせることができる。
【図面の簡単な説明】
【００１２】
【図１】金封を構成する部材を分離して表した斜視図である。
【図２】（ａ）は、厚紙に被装した状態の靴下を示す正面図であり、（ｂ）は、その側面図である。
【図３】金封の正面図である。
【図４】金封の包装容器への収容について説明する図である。
【図５】本実施の形態における金封の他の例について説明する図である。
【図６】本実施の形態における金封の他の例について説明する図である。
【図７】本実施の形態における金封の他の例について説明する図である。
【図８】本実施の形態における金封の他の例について説明する図である。
【考案を実施するための形態】
【００１３】
以下、本考案の実施の形態に係る金封について、図面を参照して説明する。ただし、考案の範囲は図示例に限定されない。なお、以下の説明において、同一の機能及び構成を有するものについては、同一の符号を付し、その説明を省略する。
【００１４】
本実施の形態に係る金封１は、例えば、図１に示すように、水引き２と、短冊３と、靴下４と、厚紙５と、中紙６と、内袋７とを備えている。
本実施の形態に係る金封１は、結婚式等の慶事において用いられる祝儀袋、及び、葬儀等の弔事において用いられる不祝儀袋の何れの用途にも用いることが可能である。
【００１５】
水引き２は、例えば、１本のゴム素材の外周を絹糸等の繊維素材にて被覆してなるゴム紐の両端を結束して結束部２ａを形成し、環状に形成されている。また、水引き２は、例えば、赤色に染色した繊維素材を使用しているが、用途に応じて適宜な色とすることができる。また、水引き２は、上述したようにゴム紐によって形成されているため、伸縮自在となっている。また、水引き２は、結束部２ａと対向する位置に、装飾部２ｂを形成している。装飾部２ｂは、ゴム紐を所定形状に編み込むことにより形成することができ、本実施の形態では、図１に示すように、花柄に形成している。なお、装飾部２ｂは、上述したものに限らず、様々な形状を採用することができ、例えば、蝶結び、鮑結び、あるいは、結び切り等の従来の水切りの形状としてもよい。また、ゴム紐にボタン等の他の部材を取り付けて装飾部２ｂを構成するようにしてもよい。このとき、装飾部２ｂに適用する部材の色や形状については適宜設定することができる。さらに、装飾部２ｂに適用する部材を複数用意するとともに、ゴム紐に対して着脱自在に構成して、部材を選択的に使用できるようにしてもよい。また、水引き２は、装飾部２ｂを形成するのが好ましいが、装飾部２ｂを設けないものとしてもよい。また、水引き２は、予め環状に一体に形成されたゴム素材の外周に繊維素材を被覆して形成し、結束部２ａが形成されない態様であってもよい。
【００１６】
短冊３は、薄紙からなり、縦方向が長辺となるように方形状に形成されている。短冊３の表側上部には、表書きとして、例えば、「寿」の文字が印刷されている。短冊３の表書きとして印刷される文字は、上述のものに限らず、用途に応じて適宜のものとすることができ、例えば、「ほんの気持ち」、「おめでとうございます」、「お祝い」、「ご出産お祝い」、「御結婚お祝い」、「ご入学」、「ご入園」、「ご卒業」、「ご就職」、「Happy Wedding」、「御香典」、「御佛前」、「御霊前」等であってもよい。また、短冊３の表書き部分をエンボス加工等して文字が強調して視認されるようにしてもよい。また、短冊３に表書きが印刷されない構成であってもよい。また、文字に加え、又は、文字に代えて図柄が短冊３に印刷されていてもよい。短冊３の色は、用途に応じて適宜設定することができる。また、短冊３に印刷される文字の色も、用途に応じて適宜設定することができる。なお、本実施の形態では、短冊３を設けるのが好ましいが、短冊３を設けない構成としてもよい。
【００１７】
物品としての靴下４は、衣料品店等で販売されるような公知の一対の靴下である。靴下４のサイズや、柄は適宜のものを適用することができる。また、靴下４の種類も適宜のものを選択することができ、例えば、タイツ、ストッキング、ガーターベルト、ニーハイソックス、サイハイソックス、ハイソックス等である。
【００１８】
厚紙５は、ある程度の剛性を有するように、所定の厚みを有する方形状の紙素材によって形成されている。本実施の形態では、厚紙５に適用される素材として、例えば、コートボールを適用している。なお、厚紙５に適用される素材は、上述のものに限定されず、他の素材であってもよく、例えば、薄板形状の樹脂等を適用してもよい。また、本実施の形態では、厚紙５を内袋７と略同形状としたが、贈答する物品の形状等に応じて、適宜の大きさとしてもよい。また、厚紙５は、四隅がＲ状に形成されており、金封１の取り扱いの容易性を向上させるようにしている。上述のようにして構成された厚紙５は、金封１を贈答する際に、可撓性を有する靴下４等が折れ曲がったり、皺が発生したりしないようにして、金封１の形状を安定させる。また、厚紙５を設けない構成であってもよい。
【００１９】
中紙６は、所定大きさの薄紙が縦方向を軸として二つ折りに形成されたものである。中紙６は、贈答者の住所・氏名、贈答金額、贈答する相手に対するメッセージ等を記載させるためのものである。折り曲げられた中紙６の外側面の下方には、贈答者の記載の便宜を図るための罫線が設けられているが、罫線を設けない態様であってもよい。また、中紙６に、所定のメッセージや図柄が印刷されていてもよい。また、中紙６を設けない構成であってもよい。また、本実施の形態では、中紙６は二つ折りに形成されているので、例えば、紙幣や有価証券、あるいは、映画等の鑑賞券を中紙６に挟装することができる。
【００２０】
内袋７は、紙幣や有価証券等を収容可能な公知の内袋であり、例えば、所定形状に切り欠かれた１枚の用紙を、所定の袋形状となるように折り曲げ、貼り合わせることにより形成することができる。内袋７は、金封１の使用前において、上方から紙幣等が挿入できるように、開口が設けられている。内袋７の上端には、封止片７ａが一体的に突出して設けられている。内袋７は、紙幣等の挿入後に封止片７ａを折り曲げてこの開口部を封止できるように構成されている。
【００２１】
上述のようにして構成された金封１を形成する方法について、図２〜図４を参照しながら説明する。
【００２２】
まず、図２に示すように、靴下４を、厚紙５を被装するようにして折り畳む。このとき、靴下の上部に形成された口ゴム部と、下部に形成されたつま先部との何れを上方にして折り畳むかは、慶事や弔事に応じて、あるいは、地方の慣習等に応じて適宜設定することができる。本実施の形態では、図２（ｂ）に示すように、つま先部が上方となるように靴下４を折り畳んでいる。
【００２３】
上述したようにして厚紙５に靴下４を被装した後、図３に示すように、靴下４の背面側に、贈答者によってメッセージ等が記載された中紙６と、紙幣等が挿入されて封止された内袋７を重畳するとともに、靴下４の前面側に短冊３を重畳し、水引き２によってこれらを環装する。このとき、装飾部２ｂが短冊２と重畳するように水引き２が装着されると、見栄えが良く、好ましい。
本実施の形態では、上述したようにして金封１を形成することができる。
【００２４】
なお、上述のようにして形成された金封１は、図４に示すように、台紙８に重畳して、包装容器９に収容することにより、小売店の店頭等に陳列し、販売の用に供することができる。このとき、金封１の用途や地域の慣習の多様性に対応できるように、印刷内容の異なる複数の短冊３を収容するのが好ましい。
【００２５】
台紙８は、ある程度の剛性を有するように、所定の厚みを有する方形状の紙素材によって形成されている。本実施の形態では、台紙８に適用される素材として、例えば、エスプリコートＳＳを適用している。なお、台紙８に適用される素材は、上述のものに限定されず、他の素材であってもよく、例えば、薄板形状の樹脂等を適用してもよい。また、台紙８は、贈答する物品の形状等に応じて、適宜の大きさとするのが好ましい。さらに、台紙８は、包装容器９と略同形状とされるのが好ましい。上述のようにして構成された台紙８は、包装容器９に収容された金封１が折れ曲がったり、皺が発生したりしないように、金封１の形状を安定させる。さらに、金封１の形状安定性を向上させるために、台紙８を二つ折りして形成するものであってもよい。このように構成することにより、例えば、金封の使用前において、内袋７を台紙８の内面側にて挟装しておくことで、内袋７を保護することができる。また、台紙８の裏面には、例えば、金封１の使用方法、金封１に関する風習や慣習の情報、靴下４の素材、サイズ、用途、小売価格等の情報が記載されるようにしてもよい。
【００２６】
包装容器９は、フィルム状の袋体によって形成されている。包装容器９は、例えば、ＯＰＰ（biaxial Oriented PolyPropylene）や、ＣＰＰ（Cast PolyPropylene）等の透明のフィルムによって形成されるのが好適である。包装容器９は、上方に金封１及び台紙８が挿入可能な開口部９ａが設けられている。包装容器９の背面には、開口部９ａを封止するための封止片９ｂが上方に一体に延出されている。封止片９ｂは、基部を前方に折り曲げることにより、開口部９ａを封止することができる。また、包装容器９の前面上部には、封止片９ｂの先端部分を包装容器９の前面に対して剥離可能に接着固定するための接着部９ｃが水平方向に所定幅をもって形成されている。また、包装容器９の背面上部には、方形状のヘッダー９ｄが、例えば、ホットメルトにより接着固定されている。ヘッダー９ｄの略中央には、貫通孔が形成されており、例えば、商品の陳列の用に供される陳列棒に挿通できるようになっている。
【００２７】
以上説明したように、本実施の形態によれば、内袋７は、内部に紙幣を収容する。水引き２は、内袋７と靴下４とを環装する。その結果、贈答する相手や状況に応じて、金銭とともに、物品を選択して贈答することができるので、贈答する相手に対する贈答者の気持ちの表し方に多様性を持たせることができる。また、従来の金封のように、使用後の金封の全ての部材を廃棄することなく、少なくとも一部の部材について他の用途に供することができるので、環境にも優れる。
【００２８】
また、本実施の形態によれば、水引き２を伸縮自在としたので、本実施形態において適用可能な物品の大きさの自由度を高めることができ、金封の多様性をさらに向上させることができる。
【００２９】
また、本実施の形態によれば、靴下４を折り畳んで内袋７と略同形状としたので、金封の取り扱いを容易にすることができる。
【００３０】
また、本実施の形態によれば、厚紙５は、内袋７と略同形状とされ、靴下４は、厚紙５を被装するように折り畳んで内袋７と略同形状としたので、金封を使用するときに、金封の形状を安定させることができる。
【００３１】
また、本実施の形態によれば、金封１と、袋体によって形成されて金封１を収容する包装容器９と、包装容器９と略同形状とされて金封１とともに包装容器９に収容される台紙８と、を備える。台紙８は、二つ折りにより包装容器９と略同形状をなすとともに、内袋７を挟装して金封１とともに包装容器９に収容される。その結果、金封の使用前において内袋を保護することができる。
【００３２】
なお、本考案の実施の形態における記述は、本考案に係る金封の一例であり、これに限定されるものではない。金封を構成する各部の細部構成に関しても適宜変更可能である。
【００３３】
また、本実施の形態における金封１を構成する部材は、上述のものに限らず、他の部材がさらに追加されたものであってもよい。
【００３４】
また、本実施の形態における物品は、１物品に限らず複数物品であってもよい。
【００３５】
また、本実施の形態に適用可能な物品としては、様々な種類のものが適用でき、例えば、布製品のうち衣類にあっては、上述した靴下の他、トランクス、ブリーフ、ボクサーパンツ、Ｔバック下着、褌、股引、ステテコ、スパッツ、レギンス、ガードル、ショーツ、ブラジャー、ガーター付きセット、ベビードール、ビスチェ、テディ、ボディストッキング、キャミソール、トップス、タンクトップ、Ｔシャツ、スリーブレス、ランニングシャツ、クールネックＴシャツ、ＵネックＴシャツ、ＶネックＴシャツ、ロングスリーブシャツ等の下着類、ネクタイ、手袋、マフラー、腹巻等の小型の衣類、乳幼児用のパッド、靴下、ミトン、防止、肌着、ベスト、アフガン、スタイ、ドレスオール、カバーオール等がコンパクトであり、好適である。なお、下着以外の衣類に適用してもよい。
【００３６】
また、本実施の形態に適用可能な物品としては、上述した衣類の他、例えば、衣類以外の布製品にあっては、タオル、布巾、テーブルクロス、ティッシュカバー等が適用できる。
【００３７】
また、本実施の形態に適用可能な物品としては、上述した布製品に限らず、ランチョンマット、コースター、ヘアーアクセサリ、箸、箸置き、箸袋、あぶらとり紙、包装済みの植物の種子、アロマテラピー製品等の小物類、手帳、ノート、メモ帳、日記帳、アルバム、和洋紙等の文房具、首輪、ペット服等のペット用品、包装済みの茶、昆布、鰹節、菓子等の食品等を適用することもできる。
【００３８】
例えば、図５に示すように、物品の一例としてネクタイ１４を適用した金封１１は、ネクタイ１４を厚紙５に被装し、短冊１３、中紙６及び内袋７等とともに、上述した要領で、水引き２を環装することにより構成することができる。
【００３９】
また、例えば、図６に示すように、物品の一例として手帳２４を適用した金封２１は、手帳２４自体に剛性を有しているため厚紙５を装着せず、短冊３、中紙６及び内袋７等とともに、上述した要領で、水引き２を環装することにより構成することができる。
【００４０】
また、例えば、図７に示すように、物品の一例として包装済みの茶３４を適用した金封３１は、包装容器自体に剛性を有しているため厚紙５を装着せず、短冊３３、中紙６及び内袋７等とともに、上述した要領で、水引き２を環装することにより構成することができる。
【００４１】
また、例えば、図８に示すように、物品の一例として箸が収容された箸箱４４を適用した金封４１は、箸箱４４自体に剛性を有しているが、内袋７の形状と整合させるため、箸箱４４の背面に厚紙５を重畳し、短冊３及び内袋７等とともに、上述した要領で、水引き２を環装することにより構成することができる。なお、図８に示す例では中紙６を省略しているが、中紙６を構成してもよいことは言うまでもない。
【符号の説明】
【００４２】
１  金封
２  水引き
４  靴下（物品）
５  厚紙
７  内袋
【図１】
0003173846.tif 000003
【図２】
0003173846.tif 000004
【図３】
0003173846.tif 000005
【図４】
0003173846.tif 000006
【図５】
0003173846.tif 000007
【図６】
0003173846.tif 000008
【図７】
0003173846.tif 000009
【図８】
0003173846.tif 000010